(57)【要約】【課題】ソレノイド制御弁組立体と接着剤コントロールモジュールとの間の空気の経路を短く直線的にすること。【解決手段】本発明によるホットメルト接着剤供給システム１１０のソレノイド制御弁組立体１１２は、第１の側壁１２２に形成された一対の入口ポート１２４および出口ポート１２６と、反対側の第２の側壁１５８に、接着剤コントロールモジュール１１４に形成された穴１５０、１５２に嵌合するように取付けられた一対の迅速継手１５４、１５６を有しており、制御空気のための流体経路が実質的に短く直線的な経路となるようにした。【選択図】図１
2008020069.tif 000002
【特許請求の範囲】
【請求項１】
ソレノイド制御弁組立体において、
ソレノイド制御弁組立体ハウジングと、
第１と第２の位置の間で移動可能に前記ソレノイド制御弁組立体ハウジング内に配設されたソレノイド制御弁部材と、
前記ソレノイド制御弁部材に連通するように、前記ソレノイド制御弁組立体ハウジングの第１の側壁部分に形成された一対の供給、排気通路と、
前記ソレノイド制御弁組立体ハウジングの第２の側壁部分から外方に突出した一対の継手とを具備し、
前記第２の側壁部分は、前記一対の供給、排気通路が形成されている前記第１の側壁部分とは反対側に配置されており、
前記一対の継手には、前記ソレノイド制御弁部材に連通する第１と第２の流体通路が形成され、前記第１と第２の流体通路は、前記供給、排気通路に関して同心に配置されており、
前記ソレノイド制御弁部材が前記第１の位置にあるとき、前記供給通路が前記一対の継手の前記第１の流体通路に連通し、かつ、前記一対の継手の前記第２の流体通路が前記排気通路に連通し、
前記ソレノイド制御弁部材が前記第２の位置にあるとき、前記供給通路が前記一対の継手の前記第２の流体通路に連通し、かつ、前記一対の継手の前記第１の流体通路が前記排気通路に連通するようにしたソレノイド制御弁組立体。
【請求項２】
前記ソレノイド制御弁組立体ハウジングの前記第２の側壁部分から外側に突出した前記一対の継手の各々は、その外周面に形成された環状溝を有しており、該環状溝は、該ソレノイド制御弁組立体が制御すべき流体アクチュエータに、該ソレノイド制御弁組立体を着脱自在に取付けるための保持ピンを受承するようになっている請求項１に記載のソレノイド制御弁組立体。
【請求項３】
２つのハウジング構造体を連結するための迅速継手組立体において、
第１のハウジング構造体と、
前記第１のハウジング構造体の側壁部分から外側に突出した少なくとも１つの継手と、
第２のハウジング構造体と、
前記第１のハウジング構造体の前記側壁から外側に突出した前記少なくとも１つの継手を受容するための、前記第２のハウジング構造体の側壁に形成された少なくとも１つの穴と、
前記少なくとも１つの継手の外周面に形成された環状溝と、
前記第２のハウジング構造体の前記側壁部分に形成された前記少なくとも１つの穴と交差するように、前記第２のハウジング構造体に形成された通路と、
前記第１のハウジング構造体の前記側壁部分から外側に突出した前記少なくとも１つの継手が前記第２のハウジング構造体の前記側壁部分に形成された前記少なくとも１つの穴内に配置されたときに、前記第２のハウジング構造体に形成された通路に着脱自在に取付けられ、前記第１のハウジング構造体の前記側壁部分から外側に突出した前記少なくとも１つの継手の外周面に形成された前記環状溝に係合する保持ピンとを具備した迅速継手組立体。
【請求項４】
前記第１のハウジング構造体がソレノイド制御弁組立体を含み、
前記第２のハウジング構造体が接着剤コントロールモジュールを含む請求項３に記載の迅速継手組立体。
【請求項５】
前記第１のハウジング構造体の前記側壁部分から突出した前記少なくとも１つの継手が、前記第１のハウジング構造体の前記側壁部分から突出した一対の継手から成り、
前記一対の継手に一対の流体通路が形成されている請求項３に記載の迅速継手組立体。
【請求項６】
ホットメルト接着剤供給システムにおいて、
接着剤コントロールモジュールハウジングと、
前記接着剤コントロールモジュールハウジングの側壁部分に形成された一対の穴と、
ソレノイド制御弁組立体ハウジングと、
第１と第２の位置の間で移動可能に前記ソレノイド制御弁組立体ハウジング内に配設されたソレノイド制御弁部材と、
前記ソレノイド制御弁部材に連通するように、前記ソレノイド制御弁組立体ハウジングの第１の側壁部分に形成された一対の供給、排気通路と、
前記ソレノイド制御弁組立体ハウジングの第２の側壁部分から外方に突出し、前記接着剤コントロールモジュールハウジングの前記側壁部分に形成された前記一対の穴内に配置されるようにした一対の継手とを具備し、
前記第２の側壁部分は、前記一対の供給、排気通路が形成されている前記第１の側壁部分とは反対側に配置されており、
前記一対の継手には、前記ソレノイド制御弁部材に連通する第１と第２の流体通路が形成され、前記第１と第２の流体通路は、前記供給、排気通路に関して同心に配置されており、
前記ソレノイド制御弁部材が前記第１の位置にあるとき、前記供給通路が前記一対の継手の前記第１の流体通路に連通し、かつ、前記一対の継手の前記第２の流体通路が前記排気通路に連通し、
前記ソレノイド制御弁部材が前記第２の位置にあるとき、前記供給通路が前記一対の継手の前記第２の流体通路に連通し、かつ、前記一対の継手の前記第１の流体通路が前記排気通路に連通するようにしたソレノイド制御弁組立体。
【請求項７】
前記ソレノイド制御弁組立体ハウジングの前記第２の側壁部分から外側に突出する前記一対の継手の各々の外周面には環状溝が形成されており、
前記接着剤コントロールモジュールハウジングには、前記接着剤コントロールモジュールハウジングの前記側壁部分に形成された前記一対の穴と交差するように、通路が形成されており、
前記ソレノイド制御弁組立体ハウジングの前記側壁部分から外側に突出した前記一対の継手が、前記接着剤コントロールモジュールハウジングの前記側壁部分に形成された前記一対の穴内に配置されたときに、保持ピンが、前記接着剤コントロールモジュールハウジングに形成された通路内に着脱自在に取付けられ、前記前記ソレノイド制御弁組立体ハウジングの前記側壁部分から外側に突出した前記一対の継手の外周面に形成された前記環状溝に係合するようにした請求項６に記載のホットメルト接着剤供給システム。
【請求項８】
前記接着剤コントロールモジュールハウジングが、
空気制御室と、
前記空気制御室内に配設されたピストンを有したノズル供給弁部材と、
前記接着剤コントロールモジュールハウジングに形成され、前記空気制御室、および前記一対の継手の前記第１と第２の流体通路に連通する一対の通路とを含み、
制御流体が前記ピストンに作用して、前記ノズル供給弁部材の配置が制御されるようにした請求項６に記載のホットメルト接着剤供給システム。
【発明の詳細な説明】
【技術分野】
【０００１】
本発明は、概括的にホットメルト接着剤供給システムに関し、特に、新規で改良されたソレノイド制御弁組立体を備えた新規で改良されたホットメルト接着剤供システムに関する。ソレノイド制御弁組立体は、ピストン部材を作動させるために使用される制御空気を適切に供給するために、接着剤コントロールモジュールと関連して使用される。ピストン部材は、接着剤コントロールモジュールのノズル供給弁に連結されており、該ノズル供給弁を着座していない開成位置と着座した閉成位置との間で移動させる。ソレノイド制御弁組立体は、接着剤コントロールモジュールに直接取付けることができる。流入制御空気通路および流出制御空気通路をソレノイド制御弁組立体およびその継手に形成することができる。継手は、実質的に短く直線状の流体経路が、ソレノイド制御弁組立体と接着剤コントロールモジュールとの間に効果的に形成されるように、接着剤コントロールモジュールに形成されたボア内に嵌合するようになっており、これによって、ソレノイド制御弁組立体と接着剤コントロールモジュールとの間に最短の制御空気経路が形成される。ソレノイド制御弁組立体の継手は迅速継手より成り、接着剤コントロールモジュールへのソレノイド制御弁組立体の着脱が比較的容易かつ迅速に行えるようになっている。
【背景技術】
【０００２】
ホットメルト接着剤供給システムは、動作上の問題を生じないように或いは望ましくな製品特性とならないように、例えば、基体の所定の領域に所定時間でホットメルト接着剤を付着させるために、そして同時に、ホットメルト接着剤が実際に供給されていない間のホットメルト接着剤の流れを制御するために、間欠的に作動させるようにしなければならない。供給ノズルおよびその噴口へのホットメルト接着剤の流れの始動、停止を効果的に制御するために、適当なノズル供給弁組立体が組込まれた接着剤コントロールモジュールが従来より用いられている。ノズル供給弁組立体の各々は、前方に配置されたノズル供給弁部材、弁ステム、弁ステムの後方部分に取付けられ空気シリンダ室内に配置されたピストン部材を具備している。こうして、制御空気が空気シリンダ室の両端部に選択的に供給されると、ピストン部材は、適切に作動つまり移動し、ノズル供給弁部材が、着座していない開成位置と着座した閉成位置との間で適切に作動または移動し、ホットメルト接着剤の間欠供給が制御される。更に、ソレノイド制御弁組立体は、空気シリンダ室内への制御空気の流入および同空気シリンダ室からの制御空気の流出を制御する接着剤コントロールモジュールと協働し、空気シリンダ室内でのピストン部材の動作を制御する。
【０００３】
従来のタイプのシステムでは、ソレノイド制御弁組立体は、適当な継手およびチューブによって、接着剤コントロールモジュールに接続されている。接続チューブによって、接着剤コントロールモジュールからソレノイド制御弁組立体へ伝わる熱が効果的に低減され、ソレノイド制御弁組立体の寿命が長くなるが、接続チューブによる接着剤コントロールモジュールへのソレノイド制御弁組立体の接続によって、ソレノイド制御弁組立体と接着剤コントロールモジュールとの間の空気を輸送する流体経路が長くなる。従って、ソレノイド制御弁組立体によって行われる切換え動作に伴う動作時間、繰返し時間、応答時間が比較的遅くなる。従来のタイプのホットメルト接着剤供給システムの動作上の問題を修正するために、図１に示すような第２の従来型システムが開発された。
【０００４】
より詳細には、図１から明らかなように、接着剤コントロールモジュールは参照番号１２にて指示されており、供給ノズル組立体１４の上に配置されている。ソレノイド制御弁組立体１６は接着剤コントロールモジュール１２の上方に配置されており、ソレノイド制御弁組立体１６と接着剤コントロールモジュール１２との間にアダプタ１８が配置されている。アダプタ１８の上面部分と、ソレノイド制御弁組立体１６との間に第１の断熱材２０が配設され、接着剤コントロールモジュール１２の上面部分と、アダプタ１８の下面部分との間に第２の断熱材２２が配設されている。更に、ソレノイド制御弁組立体１６へ制御空気を供給するための入口ポートまたは供給ポート２４がアダプタ１８の第１の側壁部分に設けられており、ソレノイド制御弁組立体１６から制御空気を排気するための出口ポートまたは排気ポート２６がアダプタ１８の反対側の第２の側壁部分に設けられている。従って、入口ポートまたは供給ポート２４によってアダプタ１８内に導入された制御空気は、上方へソレノイド制御弁組立体１６内に流れ、ソレノイド制御弁組立体１６によって、制御空気はアダプタ１８を通って下方へ、接着剤コントロールモジュール１２内に配設されたノズル供給弁組立体のピストン部材の適切な側に供給され、ピストン部材を適切に移動させて、それによって接着剤コントロールモジュール１２のノズル供給弁部材の配置を制御し、かつ、それと同時に、ノズル供給弁組立体のピストン部材の反対側にある空気は、アダプタ１８を通って上方へソレノイド制御弁組立体１６内に流入し、そししてアダプタ１８内に戻って、出口ポートまたは排気ポート２６から外部へ排気されるようになっている。このように、ソレノイド制御弁組立体１６は、接続チューブを用いることなく、接着剤コントロールモジュール１２に取付けられているが、制御空気用の流体経路は、極めて回りくどく依然として長い経路であるので、ソレノイド制御弁組立体１６によってなされる切換え操作に伴う動作時間、繰返し時間、応答時間は、依然として比較的遅いものとなる。更に、接着剤コントロールモジュール１２内の種々の流体通路、および、ソレノイド制御弁組立体１６内の種々の流体通路は、比較的複雑であり、高価な加工が必要となる。
【発明の開示】
【発明が解決しようとする課題】
【０００５】
従って、接着剤コントロールモジュールに関連して使用するための新規で改良されたソレノイド制御弁組立体を具備した新規で改良されたホットメルト接着剤供給システムの必要性がある。この新規で改良されたソレノイド制御弁組立体は接着剤コントロールモジュールに直接的に取付けるようになっており、ソレノイド制御弁組立体と接着剤コントロールモジュールとの間の接続チューブが不要で、制御空気の流入、排出通路は、ソレノイド制御弁組立体、および、接着剤コントロールモジュールに形成された穴に嵌合するようにした継手内に形成することができ、ソレノイド制御弁組立体と接着剤コントロールモジュールとの間に実質的に短く直線的な流体経路が形成され、これによって、ソレノイド制御弁組立体と接着剤コントロールモジュールとの間の制御空気が流れる流体経路の長さを最小限として、更に、ソレノイド制御弁組立体の継手によって、接着剤コントロールモジュールからのソレノイド制御弁組立体の取外し、および、接着剤コントロールモジュールへのソレノイド制御弁組立体の交換を迅速かつ容易に行える。
【課題を解決するための手段】
【０００６】
上述した目的および他の目的は、本発明の技術および原理による、新規で改良されたホットメルト接着剤供給システムによって達成される。このホットメルト接着剤供給システムは、新規で改良されたソレノイド制御弁組立体を具備しており、該ソレノイド制御弁組立体は、新規で改良された接着剤コントロールモジュールと共に使用され、ピストン部材を作動させるために用いられる流入空気を制御する。ピストン部材には、接着剤コントロールモジュールのノズル供給弁が連結されており、該ノズル供給弁を着座していない開成位置と、着座した閉成位置との間で移動させ、それによって、ホットメルト接着剤は、種々の異なる所定のホットメルト接着剤供給パターンに従って供給される。ソレノイド制御弁組立体は、第１の側壁に形成された一対の入口ポートおよび出口ポートと、反対側の第２の側壁に、接着剤コントロールモジュールに形成された穴に嵌合するように取付けられた一対の迅速継手を有している。このようにして、流入する制御空気のための流体経路は、実質的に短く直線的な経路となる。該経路は、ノズル供給弁のピストン部材を迅速に作動または移動させ、そして、特定のホットメルト接着剤供給モードに従い、比較的迅速な動作時間、応答時間および繰返し時間で、ノズル供給弁を着座していない開成位置と、着座した閉成位置との間で作動または移動させるために用いることができる。更に、中空の迅速継手は、ソレノイド制御弁組立体と接着剤コントロールモジュールとの間の流体通路を画成するのみならず、更に、従来のネジ式の継手よりも比較的容易かつ迅速に、ソレノイド制御弁組立体を接着剤コントロールモジュールから取外し、交換することを可能とする。
【発明を実施するための最良の形態】
【０００７】
本発明の他の特徴および利点は、添付図面を参照して説明する本発明の実施形態から明らかとなろう。
以下、添付図面、特に、図２、３を参照すると、本発明の原理および教示により形成された新規で改良されたホットメルト接着剤供給システムの全体が参照番号１１０により指示されている。より詳細には、ホットメルト接着剤供給システム１１０は、ソレノイド制御弁組立体１１２と接着剤コントロールモジュール１１４とを具備している。ソレノイド制御弁組立体１１２は、概ね直方体形状のハウジング１１６を具備している。該ハウジング内には、略示するソレノイド制御弁１１８が配設されている。第１の側壁１２２の上方部分には、ソレノイド制御弁１１８へ電力を供給するための電気コネクタ１２０が取付けられており、また、第１の側壁１２２には、鉛直方向に離間した一対の制御空気通路１２４、１２６が形成されている。制御空気通路は、内方へハウジング１１６内に延びて、ソレノイド制御弁１１８に連通し、該ソレノイド制御弁によって制御される。供給側の制御空気通路１２４は、不図示の適当な空気供給源から流入する空気をソレノイド制御弁組立体１１２内に導入し、排気側の制御空気通路１２４は、ソレノイド制御弁組立体１１２から制御空気を排気する。同様に、接着剤コントロールモジュール１１４は、また、実質的に直方体形状のハウジング１２８を具備している。該ハウジング内には、ノズル供給弁組立体１３０が着脱自在に配設されている。ノズル供給弁組立体１３０は、軸方向に延設された弁ステム１３２、弁ステム１３２の下端部分に結合されたノズル供給弁部材１３４、および、弁ステム１３２の上端部分に結合された制御ピストン１３６を具備している。制御ピストン１３６は、シリンダ１４０内に画成された空気制御室１３８内に配設されている。前記シリンダは接着剤コントロールモジュールのハウジング１２８の上方端部分に形成されている。シリンダ１４０の側壁部分１４６には、鉛直方向に離間した一対の空気通路１４２、１４４が形成されており、該通路は、空気制御室１３８において制御ピストン１３６の上方部分および下方部分に夫々連通している。
【０００８】
シリンダ１４０は、また、側壁部分１４６から外方に突出した突出部分１４８を有しており、該突出部分１４８には、鉛直方向に離間配置された一対の受容穴１５０、１５２が形成されている。これに対応して、ソレノイド制御弁組立体１１２には一対の管状継手１５４、１５６が取付けられており、該継手は第２の側壁部分１５８から外方に突出している。第２の側壁部分は、電気コネクタ１２０が取付けられ一対の制御空気通路１２４、１２６が形成されている第１の側壁部分１２２とは反対側にある。図３から理解されるように、管状継手１５４、１５６には、流体通路１６０、１６２が形成されている。管状継手１５４、１５６に形成された流体通路１６０、１６２は、ソレノイド制御弁組立体のハウジング１１６に形成された制御空気通路１２４、１２６と実質的に同軸状に配置されており、かつ、ソレノイド制御弁１１８によって、制御空気通路１２４、１２６に連通するようになっている。同様に、継手１５４、１５６に形成された流体通路１６０、１６２は、管状継手１５４、１５６をシリンダ１４０の突出した突出部分１４８に形成された受容穴１５０、１５２に挿入することによって、空気通路１４２、１４４に連通するようになっている。Ｏリングより成るシール部材１６４、１６６が、管状継手１５４、１５６の内側の端部に配設されており、管状継手１５４、１５６と、受容穴１５０、１５２の内周面との間を効果的に密封するようになっている。
【０００９】
最後に、管状継手１５４、１５６は迅速継手より成り、必要に応じてソレノイド制御弁組立体１１２を交換する際に、ソレノイド制御弁組立体１１２の全体を接着剤コントロールモジュール１１４から迅速かつ容易に取外し、その後、同様のソレノイド制御弁組立体１１２を接着剤コントロールモジュール１１４に迅速かつ容易に取付可能となっている。ソレノイド制御弁組立体１１２を接着剤コントロールモジュール１１４にしっかりと固定し、かつ、上述のような迅速かつ容易にソレノイド制御弁組立体１１２を接着剤コントロールモジュール１１４から取外し、該ソレノイド制御弁組立体１１２を他のソレノイド制御弁組立体１１２と交換するために、管状継手１５４、１５６の各々の外周面に環状溝１６８、１７０が形成されている。更に、鉛直方向に配向されたヘッド付の保持ピン１７２が、内ネジを有したネジ穴１７４内に挿入されるようになっている。該ネジ穴は、突出部分１４８に鉛直方向に形成されている。前記保持ピンは、シリンダ１４０の突出部分１４８に形成された受容穴１５０、１５２および管状継手１５４、１５６の外周面に形成された環状溝１６８、１７０の外側壁部分と効果的に交差する。保持ピン１７２のシャンクの下方部分１７６は、管状継手１５４、１５６の環状溝１６８、１７０と係合させるために平滑であり、保持ピン１７２のシャンクの上方部分１７８には、ネジ穴１７４の内ネジと係合する外ネジが形成されている。
【００１０】
本発明の原理および教示によって形成され、ソレノイド制御弁組立体１１２および接着剤コントロールモジュール１１４を具備した新規で改良されたホットメルト接着剤供給システム１１０の構成を説明したが、接着剤コントロールモジュール１１４に関連させて、ソレノイド制御弁組立体１１２の作用を説明する。管状継手１５４、１５６を具備した上記構造、および、保持ピン１７２による管状継手の接着剤コントロールモジュール１１４への取付によって、ソレノイド制御弁組立体１１２は、迅速、容易かつ直接的に接着剤コントロールモジュール１１４に取付けられ、ソレノイド制御弁組立体１１２は、また、迅速かつ容易に接着剤コントロールモジュール１１４から取外されよう。ソレノイド制御弁組立体１１２は、また、必要に応じて他のソレノイド制御弁組立体１１２と迅速かつ容易に交換されよう。更に、管状継手１５４、１５６は流体通路１６０、１６２を有しており、該流体通路は、その上流側端部において、ソレノイド制御弁組立体１１２に形成された制御空気通路１２４、１２６に直線的に連結され、下流側端部において、シリンダ１４０の側壁部分１４６に形成された空気通路１４２、１４４に連結されている。こうして、比較的短く直線的な流体経路がソレノイド制御弁組立体１１２および接着剤コントロールモジュール１１４に形成され、ソレノイド制御弁１１８によって決定される流入空気の作用による、ノズル供給弁組立体１３０の動作時間、応答時間および繰返し時間を著しく低減可能となる。
【００１１】
より詳細には、ノズル供給弁組立体１３０の作用に関連して、ノズル供給弁組立体１３０のノズル供給弁部材１３４は、弁座（図示せず）に対して着座した閉成位置にあるようにするときは、供給側の制御空気通路１２４に流入する制御空気は、ソレノイド制御弁１１８によって上側の管状継手１５４およびそこに形成された流体通路１６０へ流入し、流入制御空気は、次いで、シリンダ１４０に形成された空気通路１４２によって、空気制御室１３８において、ピストン１３６の上側の部分に流入し、これによって、ノズル供給弁部材１３４を鉛直下方へ、その弁座に着座した閉成位置に押動させる。同時に、空気は空気制御室１３８のピストン１３６の下側の部分から外部へ導き出され、シリンダ１４０に形成された空気通路１４４、管状継手１５６の流体通路１６２を通って、ソレノイド制御弁１１８によって決定されたように、排気側の制御空気通路１２４から外部へ排気される。反対に、ノズル供給弁組立体１３０のノズル供給弁部材１３４が、弁座（図示せず）に着座していない開成位置にあるようにするときは、供給側の制御空気通路１２４に流入する制御空気は、ソレノイド制御弁１１８によって下側の管状継手１５６およびそこに形成された流体通路１６０へ流入し、流入制御空気は、次いで、シリンダ１４０に形成された空気通路１４４によって、空気制御室１３８において、ピストン１３６の下側の部分に流入し、これによって、ノズル供給弁部材１３４を鉛直上方へ、その弁座から離反した開成位置に押動させる。同時に、空気は空気制御室１３８のピストン１３６の上側の部分から外部へ導き出され、シリンダ１４０に形成された空気通路１４２、管状継手１５４の流体通路１６０を通って、ソレノイド制御弁１１８によって決定されたように、排気側の制御空気通路１２４から外部へ排気される。
【００１２】
こうして、本発明の原理および教示によれば、新規で改良された接着剤コントロールモジュールに関連させて使用される新規で改良されたソレノイド制御弁組立体を具備した接着剤供給システムが開示され、前記新規で改良されたソレノイド制御弁組立体は、ソレノイド制御弁組立体と接着剤コントロールモジュールとの間の接続チューブを用いることなく、接着剤コントロールモジュールに直接的に取付けることができ、更に、ソレノイド制御弁組立体と接着剤コントロールモジュールとの間に延びる制御空気のための経路を最小とするよう、ソレノイド制御弁組立体と接着剤コントロールモジュールとの間に短く直線的な流体経路を具備しており、これによって、接着剤コントロールモジュール内に配設されたノズル供給弁部材の動作時間、応答時間および繰返し時間が著しく低減される。更に、ソレノイド制御弁組立体の継手によって、ソレノイド制御弁組立体は、接着剤コントロールモジュールに迅速かつ容易に着脱、交換可能となる。
【００１３】
上述した教示に照らして多数の変形と修正が可能であることは明白である。例えば、ソレノイド制御弁組立体およびその迅速継手は、特定のノズル供給弁組立体との関連で図示されているが、ソレノイド制御弁組立体およびその迅速継手は、他のノズル供給弁組立体との関連で用いてもよい。従って、特許請求の範囲内で上述した実施形態とは異なる形態で本発明を実施することができることは理解されよう。
【図面の簡単な説明】
【００１４】
【図１】入口側の供給ポートと出口側の排気ポートを形成したアダプタを介してソレノイド制御弁組立体を接着剤コントロールモジュールの上に取付けた従来のホットメルト接着剤供給装置の斜視図である。
【図２】本発明の原理および教示により構成された、新規で改良されたソレノイド制御弁組立体および新規で改良された接着剤コントロールモジュールの分解斜視図であり、ソレノイド制御弁組立体は、該ソレノイド制御弁組立体の一側面に取付けられた一対の迅速継手によって、接着剤コントロールモジュールに取付けられるようになっており、ソレノイド制御弁組立体には、制御空気の入口ポートおよび排気ポートが、反対側の側面部分に形成され、該入口ポートおよび排気ポートは、実質的に短い経路で直線的に迅速継手に連通するようになっている。
【図３】図２に示したソレノイド制御弁組立体および接着剤コントロールモジュールの部分断面図あり、迅速継手、および、その接着剤コントロールモジュールへの接続部を示す図である。
【符号の説明】
【００１５】
１１０    ホットメルト接着剤供給システム
１１２    ソレノイド制御弁組立体
１１４    接着剤コントロールモジュール
１１６    ソレノイド制御弁組立体ハウジング
１１８    ソレノイド制御弁
１２０    電気コネクタ
１２２    第１の側壁部分
１２４    制御空気通路
１２６    制御空気通路
１２８    接着剤コントロールモジュールハウジング
１３０    ノズル供給弁組立体
１３２    弁ステム
１３４    ノズル供給弁部材
１３６    制御ピストン
１４０    シリンダ
１３８    空気制御室
１４２    空気通路（供給側）
１４４    空気通路（排気側）
１４６    側壁部分（シリンダ）
１４８    突出部分（シリンダ）
１５０    受容穴
１５２    受容穴
１５４    継手
１５６    継手
１５８    第２の側壁部分
１６０    流体通路
１６２    流体通路
１６４    シール部材
１６６    シール部材
１６８    環状溝
１７０    環状溝
１７２    保持ピン
１７４    ネジ穴
１７６    シャンクの下方部分
１７８    シャンクの上方部分
【図１】
2008020069.tif 000003
【図２】
2008020069.tif 000004
【図３】
2008020069.tif 000005